(57)【要約】【課題】  シスターン内の処理水を吸引するポンプの空運転を防止する。【解決手段】  生ごみを処理水とともに撹拌して微生物により分解させる処理槽２と、該処理槽２に処理水４を供給するシスターン２７と、シスターン２７内の処理水４を吸引して処理槽２の洗浄に供する洗浄ポンプ４０とを備えた生ごみ処理機１において、シスターン２７内の水位を検出する水位検出手段３４を設け、該水位検出手段３４が所定の水位を検出しなければ洗浄ポンプ４０を停止する。または、シスターン２７から処理槽２に処理水４が全量供給されても一定量の処理水４が貯溜したままとなる貯溜部４２を設け、該貯溜部４２の処理水４を洗浄ポンプ４０で吸引する。【選択図】図１
2006198521.tif 000002
【特許請求の範囲】
【請求項１】
生ごみを処理水とともに撹拌して微生物により分解させる処理槽と、該処理槽に処理水を供給するシスターンと、前記シスターン内の処理水を吸引して前記処理槽の洗浄に供する洗浄ポンプとを備えた生ごみ処理機において、
前記シスターン内の水位を検出する水位検出手段を設け、該水位検出手段が所定の水位を検出しなければ前記洗浄ポンプを停止するようにしたことを特徴とする生ごみ処理機。
【請求項２】
生ごみを処理水とともに撹拌して微生物により分解させる処理槽と、該処理槽に処理水を供給するシスターンと、前記シスターン内の処理水を吸引して前記処理槽の洗浄に供する洗浄ポンプとを備えた生ごみ処理機において、
前記シスターンから前記処理槽に処理水が全量供給されても一定量の処理水が貯溜したままとなる貯溜部を設け、該貯溜部の処理水を前記洗浄ポンプで吸引するようにしたことを特徴とする生ごみ処理機。
【請求項３】
前記貯溜部は、前記シスターンの給水出口と該給水出口より下方に設けたポンプ吸水口との間の空間であることを特徴とする請求項２に記載の生ごみ処理機。
【請求項４】
前記ポンプ吸水口は前記シスターンの底から立ち上がる内管を有することを特徴とする請求項３に記載の生ごみ処理機。
【請求項５】
前記貯溜部は、前記シスターンの給水出口より下方で、かつ、前記シスターンの底壁に形成した凹部からなることを特徴とする請求項２に記載の生ごみ処理機。
【請求項６】
前記ポンプ吸水口は前記貯溜部の底に向かって開口する内管を有することを特徴とする請求項５に記載の生ごみ処理機。
【請求項７】
前記貯溜部は、前記シスターン内に設けた仕切壁で区画された空間であることを特徴とする請求項２に記載の生ごみ処理機。
【発明の詳細な説明】
【技術分野】
【０００１】
本発明は特に業務用の生ごみ処理機、詳しくは生ごみを微生物（バイオ菌）で分解する湿式の生ごみ処理機であって、処理水の供給にシスターンを使用した生ごみ処理機に関する。
【背景技術】
【０００２】
従来、特許文献１に示すように、処理剤と処理水を収容する有機物分解処理槽内に有機廃棄物を投入して撹拌することにより水中で有機廃棄物を分解する湿式の生ごみ処理機が記載されている。この種のゴミ処理機では、処理水に上水道を利用する場合には、菌の逆流を防止するために、トイレ等で使用されているシスターンを使用しなければならないことが水道法で規定されている。
【０００３】
一方、処理槽の分解水はオーバーフロー開口よりオーバーフローさせて下水に排水されるが、処理槽内の生ごみが流出しないようにオーバーフロー開口に金網が設置される。この場合、金網が生ごみで目詰まりすると、オーバーフローができなくなる。そこで、シスターン内の処理水をポンプで吸引して外側から金網にシャワーで噴射することで、金網の目詰まりを防止している。しかし、シスターン内の処理水が給水用に完全に使用されて無くなったときに金網へのシャワー噴射のためにポンプを駆動すると、ポンプが空運転となり、損傷の虞れの問題がある。
【特許文献１】特開２００２−３３６８３０号公報
【発明の開示】
【発明が解決しようとする課題】
【０００４】
本発明は、前記従来の問題点に鑑みてなされたもので、シスターン内の処理水を吸引するポンプが空運転しない生ごみ処理機を提供することである。
【課題を解決するための手段】
【０００５】
前記課題を解決するために、第１の発明は、生ごみを処理水とともに撹拌して微生物により分解させる処理槽と、該処理槽に処理水を供給するシスターンと、前記シスターン内の処理水を吸引して前記処理槽の洗浄に供する洗浄ポンプとを備えた生ごみ処理機において、前記シスターン内の水位を検出する水位検出手段を設け、該水位検出手段が所定の水位を検出しなければ前記洗浄ポンプを停止するようにしたものである。
【０００６】
このように構成することにより、シスターン内の処理水が完全に給水された直後、又は断水時に、水位検出手段が所定の水位を検出しなければ洗浄ポンプは停止し、所定の水位を検出すると洗浄ポンプは駆動するので、空運転が防止される。
【０００７】
第２の発明は、生ごみを処理水とともに撹拌して微生物により分解させる処理槽と、該処理槽に処理水を供給するシスターンと、前記シスターン内の処理水を吸引して前記処理槽の洗浄に供する洗浄ポンプとを備えた生ごみ処理機において、前記シスターンから前記処理槽に処理水が全量供給されても一定量の処理水が貯溜したままとなる貯溜部を設け、該貯溜部の処理水を前記洗浄ポンプで吸引するようにしたものである。
【０００８】
このように構成することにより、シスターン内の処理水が完全に給水されても、貯溜部に洗浄水が貯溜しているので、空運転が防止される。
【０００９】
前記貯溜部は、前記シスターンの給水出口と該給水出口より下方に設けたポンプ吸水口との間の空間とすることができる。この場合、前記ポンプ吸水口は前記シスターンの底から立ち上がる内管を有するものでもよい。
【００１０】
前記貯溜部は、前記シスターンの給水出口より下方で、かつ、前記シスターンの底壁に形成した凹部とすることができる。この場合、前記ポンプ吸水口は前記貯溜部の底に向かって開口する内管を有するものでもよい。
【００１１】
前記貯溜部は、前記シスターン内に設けた仕切壁で区画された空間とすることができる。
【発明の効果】
【００１２】
第１発明によれば、シスターン内の水位を検出する水位検出手段を設け、該水位検出手段が所定の水位を検出しなければ洗浄ポンプを停止するようにしたので、シスターン内の処理水が完全に吸水された直後、又は断水時に、水位検出手段が所定の水位を検出しなければ洗浄ポンプは停止し、所定の水位を検出すると洗浄ポンプは駆動するので、空運転をすることなく、ポンプの損傷が防止される。
【００１３】
また、第２発明によれば、シスターンから処理槽に処理水が全量供給されても一定量の処理水が貯溜したままとなる貯溜部を設け、該貯溜部の処理水を洗浄ポンプで吸引するようにしたので、空運転をすることなく、ポンプの損傷が防止される。
【発明を実施するための最良の形態】
【００１４】
以下、本発明の実施の形態を添付図面に従って説明する。
【００１５】
図１は、本発明に係る第１実施形態の生ごみ処理機１を示す。処理槽２は周壁２ａ、底壁２ｂ及び上壁２ｃを有する円筒形状で、図示しないが適宜の断熱構造を有している。処理槽２の内部には微生物（バイオ菌）が着床する多孔質の発泡樹脂製の多数の基材３と、処理水４が収容されている。
【００１６】
処理槽２の内部中央には、スクリュ形の撹拌翼５を有する撹拌軸６が垂直に収容されている。撹拌軸６の上端は処理槽２の上壁２ｃの内面に回転自在に支持され、下端は処理槽２の底壁２ｂに設けた軸受７により回転自在に支持されている。撹拌軸６の上端はさらに、処理槽２の上壁２ｃを貫通し、外側のカバー８内に設けられた撹拌モータ９に図示しないカップリングを介して連結されている。この撹拌モータ９の駆動により、撹拌軸６は正逆転可能になっている。
【００１７】
処理槽２の周壁２ａの上部には、処理水４の給水口１０が配設されている。給水口１０は、処理水４のオーバーフロー水位より５０ｍｍ程度上方が好ましい。また、処理槽２の周壁２ａにはオーバーフロー開口１１が形成されている。オーバーフロー開口１１には排水濾過網１２が取り付けられ、処理中の生ごみがオーバーフローによって排出されるのを防止している。さらに、処理槽２内には、排水濾過網１２が詰まってオーバーフロー水位より上昇すると、これを検知して給水を停止するためのオーバーフロースイッチ１３が設けられている。
【００１８】
処理槽２の上壁２ｃの外周寄りには、図２に示すように生ごみを投入する投入口１４と、図１に示すようにバイオタンク１５が収容されたケーシング１６が設けられている。投入口１４は蓋１７によって開閉可能であり、蓋１７には透明な覗き窓１８が設けられている。バイオタンク１５には微生物を含む液体からなる処理剤（液体バイオ）１９が収容され、該処理剤１９は前記カバー８内に設けられたバイオポンプ２０によって処理槽２内に注入されるようになっている。
【００１９】
処理槽２の周壁２ａの上部には、オーバーフロー槽２１が設けられ、該オーバーフロー槽２１は前記処理槽２に形成されたオーバーフロー開口１１を介して処理槽２内と連通している。また、オーバーフロー槽２１は排水管２２とトラップ２３を介して図示しない浄化槽又は下水道に接続されている。さらに、オーバーフロー槽２１内には外部シャワー洗浄水管２４が設けられ、排水濾過網１２に向かってシャワー水を噴射し、排水濾過網１２に付着した生ごみを除去して排水が円滑に行われるようにしている。
【００２０】
処理槽２の周壁２ａの下部には、図２に示すように、内部の清掃のために人が侵入可能な点検口２５が設けられ、該点検口２５は扉２６によって開閉可能になっている。
【００２１】
処理槽２の上方には、処理水４を貯溜するタンクであるシスターン２７が設けられている。シスターン２７は、入口２８、給水出口２９、オーバーフロー管３０を有し、入口２８の内側には浮玉３１ａの上下動によって給水の開始と停止を行うボールタップ３１が設けられている。また、シスターン２７の入口２８の外側は図示しない止水弁を介して上水道または受水槽に接続されている。シスターン２７の給水出口２９は、ストレーナ３５、第１電磁弁３６を有する給水管３７に接続され、該給水管３７は前記処理槽２の給水口１０に接続されている。シスターン２７のポンプ吸水口３２は，洗浄水管３８が接続されている。洗浄水管３８は、ストレーナ３３、第２電磁弁３９を有し、洗浄ポンプ４０を介して前記オーバーフロー槽２１の外部シャワー洗浄水管２４に接続されている。また、シスターン２７には、内部に貯留される処理水４の所定の水位３４ａを検出する水位センサ３４が設けられている。この水位３４ａは、洗浄ポンプ４０が例えば６０秒間駆動して、処理水４を吸引可能な量となる水位である。
【００２２】
前記撹拌モータ９、バイオポンプ２０、洗浄ポンプ４０及び第１，第２電磁弁３６，３９は、処理槽２の横に設置された電気制御盤４１によって制御される。
【００２３】
次に、前記構成からなる生ごみ処理機の動作を説明する。
【００２４】
運転開始に先立って電気制御盤４１の時間設定器により、１サイクルの運転時間と休止時間をそれぞれ０から１５分の間で設定し、例えば運転時間１５分、休止時間５分とする。また、撹拌モータ９の正転時間（例えば３０秒）、逆転時間（例えば３０秒）、停止時間（例えば１０秒）をそれぞれ設定するとともに、バイオ添加時間（例えば６時間）を設定する。
【００２５】
処理槽２内に微生物（バイオ菌）を着床させた所定量の基材３と処理水４が収容されている状態で、投入口１４から生ごみを投入し、運転を開始する。１サイクルの間、撹拌モータ９により撹拌軸６を正転−逆転−停止させるパターンを繰り返す。撹拌軸６の回転数は正逆転とも約１４０〜２４０ｒｐｍ（回転数は、予め一定の回転数を設定。）である。処理槽２の断熱構造により、処理水４の温度は約３３〜３８℃（好ましくは約３５℃）に維持される。生ごみは、基材３と処理水４とともに撹拌翼５によって撹拌され、基材３中に着床した微生物（バイオ菌）によって水と二酸化炭素に分解される。
【００２６】
微生物による生ごみの分解作用により、処理水４中の溶存酸素が消費される。そこで、撹拌モータ９の正転時には所定時間（０〜３０秒の間で予め設定）、第１電磁弁３６を開き、シスターン２７から処理水４を処理槽内に供給して酸素を与え、微生物による分解作用を促進する。また、撹拌モータ９の逆転時には所定時間（０〜３０秒の間で予め設定）、第２電磁弁３９を開き、洗浄ポンプ４０を約１０〜６０秒（駆動時間は、予め一定の駆動時間に設定）駆動して、シスターン２７から処理水４をオーバーフロー槽２１内に供給して排水濾過網１２を洗浄し、排水濾過網１２の目詰まりを防止し、分解水のオーバーフローによる排水を円滑に行わせる。オーバーフローした分解水は排水管２２及びトラップ２３を通って下水として排水される。また、運転中に設定時間毎にバイオポンプ２０を駆動し、所定量（例えば２０ｃｃ）の処理剤（液体バイオ）１９を処理槽２内に添加し、微生物による分解作用を継続させる。
【００２７】
シスターン２７内の処理水４が完全に給水された直後は、水位センサ３４が所定の水位を検出しないため、洗浄ポンプ４０は駆動されない。このため、洗浄ポンプ４０の空運転が防止され、損傷の虞れがなくなる。やがて、ボールタップ３１によりシスターン２７内への給水が開始され、所定の水位３４ａが水位センサ３４により検出されると、洗浄ポンプ４０が駆動し、オーバーフロー開口１１の排水濾過網１２の洗浄が可能となる。また、断水時にも、一旦シスターン２７内の処理水４が完全に給水されると、もはやシスターン２７内への給水は行われず、水位センサ３４が所定の水位を検出しないため、洗浄ポンプ４０の空運転が防止され、損傷の虞がなくなる。
【００２８】
図３は、本発明に係る第２実施形態の生ごみ処理機１’を示す。この生ごみ処理機１’は、シスターン２７に貯溜部４２を設けた以外は前記第１実施形態と同様であるので、対応する部分に同一符号を附して説明を省略する。この実施形態は、シスターン２７のポンプ吸水口３２を吸水出口２９より下方に設けて、給水出口２９とポンプ吸水口３２との間の空間を貯留部４２としたものである。貯留部４２の容量は、洗浄ポンプ４０が例えば約６０秒間駆動して、処理水４を吸引可能な量である。これにより、シスターン２７内の処理水４が給水出口２９より完全に給水されても、貯留部４２に処理水４が残留するため、洗浄ポンプ４０を駆動しても空運転とならず、損傷の虞れがなくなる。
【００２９】
なお、図４に示すように、ポンプ吸水口３２をシスターン２７の底壁に設け、該ポンプ吸水口３２からシスターン２７の内方に立ち上がる内管３２ａを設け、給水出口２９もシスターン２７の底壁に設け、該給水出口２９からシスターン２７の内方に立ち上がる内管２９ａを設けてもよい。この場合、ポンプ吸水口３２の内管３２ａの上端開口と給水出口２９の内管９ａの上端開口の間が貯留部４２となる。
【００３０】
図５は、図３の生ごみ処理機１’のシスターン２７の変形例である。この変形例では、シスターン２７の底壁に給水出口２９を設けるとともに、該給水出口２９より下方に凹部４３を設けて、該凹部４３内の空間を貯留部４２としたものである。
【００３１】
なお、図６に示すように、ポンプ吸水口３２を凹部４３より上方に設け、該ポンプ吸水口３２の内管３２ｂを下方に屈曲して凹部４３の底に向かって開口するようにしてもよい。この場合、内管３２ｂの下端開口から凹部４３の上端の間が貯溜部４２となる。
【００３２】
図７は、図３の生ごみ処理機１’のシスターン２７の他の変形例である。この変形例では、シスターン２７内に底から立ち上がる仕切壁４４を設け、該仕切壁４４で区画された一方の空間の底に給水出口２９を、他方の空間にポンプ吸水口３２を設けて、ポンプ吸水口３２を設けた方の空間の底から仕切壁４４の上端までの空間を貯留部４２としたものである。この場合、ボールタップ３１の出口に接続された内部配管４５を貯溜部４２の上方に配設することで、給水時に貯溜部４２が先に処理水４で満たされてから、全体が給水されるようにするとよい。これにより、シスターン２７内の処理水４が給水出口２９から流出し、次に貯溜部４２に残留した処理水４もポンプ吸水口３２から流出すると、貯溜部４２から先に給水が開始されるので、優先的に洗浄ポンプ４０用の処理水４を確保することができる。
【図面の簡単な説明】
【００３３】
【図１】本発明に係る生ごみ処理機の第１実施形態を示す正面断面図。
【図２】図１の生ごみ処理機の側面断面図。
【図３】本発明に係る生ごみ処理機の第２実施形態を示す正面断面図。
【図４】図３の第２実施形態のシスターンの他の変形例を示す断面図。
【図５】図３の第２実施形態のシスターンのさらに他の変形例を示す断面図。
【図６】図３の第２実施形態のシスターンのさらに他の変形例を示す断面図。
【図７】図３の第２実施形態のシスターンのさらに他の変形例を示す断面図。
【符号の説明】
【００３４】
１  生ごみ処理機
２  処理槽
４  処理水
２７  シスターン
３２  ポンプ吸水口
３２ａ，３２ｂ  内管
３４  水位センサ
４０  洗浄ポンプ
４２  貯溜部
４３  凹部
４４  仕切壁
【図１】
2006198521.tif 000003
【図２】
2006198521.tif 000004
【図３】
2006198521.tif 000005
【図４】
2006198521.tif 000006
【図５】
2006198521.tif 000007
【図６】
2006198521.tif 000008
【図７】
2006198521.tif 000009